(57)【要約】      （修正有）【課題】環境への悪影響及びエネルギー消費量を低減できる環境保護型掲示システムを提供する。【解決手段】掲示装置１０１と、電子ペーパーディスプレイユニット１０１１と、電源制御ユニット１０１２と、情報担体１０２とを含み、掲示装置１０１が情報担体１０２と情報的に接続され、かつ情報担体１０２が電源制御ユニット１０１２と電気的に接続される。また、情報担体１０２の電力貯蔵ユニットがその内部に保存された微量の電気エネルギーを掲示装置１０１に供給し、電子ペーパーディスプレイユニット１０１１を作動させ、情報担体１０２の内部に保存された掲示情報Ｄ１を掲示装置１０１に伝送し、電子ペーパーディスプレイユニット１０１１の掲示する情報を変化させる。【選択図】図１
0003171379.tif 000002
【実用新案登録請求の範囲】
【請求項１】
環境保護型掲示システムであって、
伝送ユニット、及び、該伝送ユニットに情報的に接続されたデータ処理ユニットを備えた掲示装置と、
前記データ処理ユニットと情報的に接続された電子ペーパーディスプレイユニットと、
前記伝送ユニット、前記データ処理ユニット及び前記電子ペーパーディスプレイユニットと電気的に接続された電源制御ユニットと、
掲示情報の保存に用いるストレージユニット、電気エネルギーの保存及び微量の電気エネルギー供給に用いる電力貯蔵ユニット、前記電力貯蔵ユニットと電気的に接続された電気エネルギー制御ユニット、及び、前記ストレージユニットと情報的に接続された相対伝送ユニットを備えた情報担体と、
を含み、前記掲示装置が前記伝送ユニットを介して前記情報担体の前記相対伝送ユニットと情報的に接続され、かつ前記情報担体の前記電力貯蔵ユニットが前記電気エネルギー制御ユニットを介して前記電源制御ユニットと電気的に接続され、前記電力貯蔵ユニットがその内部に保存された微量の電気エネルギーを前記掲示装置に供給し、前記電子ペーパーディスプレイユニットを作動させ、前記情報担体の前記ストレージユニットが、その内部に保存された前記掲示情報を前記掲示装置のデータ処理ユニットに伝送し、前記電子ペーパーディスプレイユニットの掲示する情報を変化させることを特徴とする、環境保護型掲示システム。
【請求項２】
前記電子ペーパーディスプレイユニットが、フレキシブル電気泳動電子ペーパーであることを特徴とする、請求項１に記載の環境保護型掲示システム。
【請求項３】
前記伝送ユニットが、ユニバーサルシリアルバス（ＵＳＢ）であることを特徴とする、請求項１に記載の環境保護型掲示システム。
【請求項４】
前記情報担体が、モバイルストレージデバイスであることを特徴とする、請求項１に記載の環境保護型掲示システム。
【請求項５】
前記情報担体が該情報担体の動作状態及び関連情報を表示する画像表示ユニットを備え、前記画像表示ユニットが演算処理ユニット及び前記電気エネルギー制御ユニットとそれぞれ接続されることを特徴とする、請求項１に記載の環境保護型掲示システム。
【請求項６】
前記画像表示ユニットが液晶ディスプレイであることを特徴とする、請求項５に記載の環境保護型掲示システム。
【請求項７】
前記情報担体が該情報担体の実行動作を制御する機能制御ユニットを備え、前記機能制御ユニットが演算処理ユニットと接続されることを特徴とする、請求項１に記載の環境保護型掲示システム。
【請求項８】
前記情報担体が無線通信ユニットを備え、前記無線通信ユニットが演算処理ユニット及び前記電気エネルギー制御ユニットとそれぞれ接続されることを特徴とする、請求項１に記載の環境保護型掲示システム。
【請求項９】
前記相対伝送ユニットが、ユニバーサルシリアルバス（ＵＳＢ）であることを特徴とする、請求項１に記載の環境保護型掲示システム。
【請求項１０】
前記電力貯蔵ユニットが、充電可能な蓄電部材であることを特徴とする、請求項１に記載の環境保護型掲示システム。
【考案の詳細な説明】
【技術分野】
【０００１】
本考案は、情報担体と掲示装置間に情報的接続を形成し、掲示内容を変更できる、環境保護型掲示システムに関する。
【背景技術】
【０００２】
従来の掲示装置は、主に展示したい掲示情報を照明板や紙に描き、それを掲示装置上に固定している。しかし、このような掲示装置は、展示内容を更新したいときに、新たに別の照明板や紙に描いて交換する必要があり、この交換動作は手間がかかるだけでなく、資源の無駄を生じやすく、また交換時には往々にして接着物を使用して固定する必要があり、度重なる交換の過程で、掲示装置上に接着物が残留し、掲示装置全体の外観に影響することがある。
また、従来の掲示装置は、掲示情報に注意をひきつけるために、一般的に光や電気を応用したディスプレイ装置を使用して、掲示情報をより目立たせるようにしているが、長期的に消費する電気エネルギーは相当なものであり、且つその設置時、電源供給及び電気配線を考慮する必要があるため、設置場所も制限されることが多い。
【考案の概要】
【考案が解決しようとする課題】
【０００３】
本考案が解決しようとする課題は、環境への悪影響及びエネルギー消費量を低減できる、環境保護型掲示システムを提供することにある。
【課題を解決するための手段】
【０００４】
本考案の環境保護型掲示システムは、伝送ユニット、及び、該伝送ユニットに情報的に接続されたデータ処理ユニットを備えた掲示装置と、前記データ処理ユニットと情報的に接続された電子ペーパーディスプレイユニットと、前記伝送ユニット、前記データ処理ユニット及び前記電子ペーパーディスプレイユニットと電気的に接続された電源制御ユニットと、掲示情報の保存に用いるストレージユニット、電気エネルギーの保存及び微量の電気エネルギー供給に用いる電力貯蔵ユニット、前記電力貯蔵ユニットと電気的に接続された電気エネルギー制御ユニット、及び、前記ストレージユニットと情報的に接続された相対伝送ユニットを備えた情報担体とを含み、前記掲示装置が前記伝送ユニットを介して前記情報担体の前記相対伝送ユニットと情報的に接続され、かつ前記情報担体の前記電力貯蔵ユニットが前記電気エネルギー制御ユニットを介して前記電源制御ユニットと電気的に接続され、前記電力貯蔵ユニットがその内部に保存された微量の電気エネルギーを前記掲示装置に供給し、前記電子ペーパーディスプレイユニットを作動させ、前記情報担体の前記ストレージユニットが、その内部に保存された前記掲示情報を前記掲示装置のデータ処理ユニットに伝送し、前記電子ペーパーディスプレイユニットの掲示する情報を変化させる。
【０００５】
以下の構成を採用してもよい。
前記電子ペーパーディスプレイユニットがフレキシブル電気泳動電子ペーパーである。
前記伝送ユニットが、ユニバーサルシリアルバス（ＵＳＢ）である。
前記情報担体が、モバイルストレージデバイスである。
前記情報担体が該情報担体の動作状態及び関連情報を表示する画像表示ユニットを備え、前記画像表示ユニットが演算処理ユニット及び前記電気エネルギー制御ユニットとそれぞれ接続される。
この場合、前記画像表示ユニットを液晶ディスプレイとする。
【０００６】
前記情報担体が該情報担体の実行動作を制御する機能制御ユニットを備え、前記機能制御ユニットが演算処理ユニットと接続される。
前記情報担体が無線通信ユニットを備え、前記無線通信ユニットが演算処理ユニット及び前記電気エネルギー制御ユニットとそれぞれ接続される。
前記相対伝送ユニットが、ユニバーサルシリアルバス（ＵＳＢ）である。
前記電力貯蔵ユニットが、充電可能な蓄電部材である。
【考案の効果】
【０００７】
本考案の環境保護型掲示システムによれば、掲示装置が情報担体に保存された掲示情報を読み込み、かつそれを電子ペーパーディスプレイユニット上に表示するために用いることができる。また、電子ペーパーディスプレイユニットを表示インターフェイスとして利用しており、通常は電気エネルギーの供給が必要なく、掲示情報を変更するときのみ、情報担体から伝送される微量の電気エネルギーにより、電子ペーパーディスプレイユニット上の光電素子を駆動して状態を変化させることができる。この結果、環境保護に配慮し、電気配線をより簡素化できるだけでなく、情報装置を利用して掲示したい情報を電子化し、それを情報担体中に保存して、資源の損耗を減少することができる。これにより、確実に環境保護及び省エネの要求を満たす環境保護型掲示システムを提供するという目的を達することができる。
【図面の簡単な説明】
【０００８】
【図１】実施例１を示す環境保護型掲示システムのブロック図である。
【図２】実施例１に係る情報担体のブロック図である。
【図３】実施例１に係る掲示内容変更手順のフローチャートである。
【図４】実施例１に係る情報担体及び情報装置の斜視図である。
【図５】実施例１を示す環境保護型掲示システムの斜視図である。
【図６】実施例２に係る情報担体のブロック図である。
【図７】実施例２に係る環境保護型掲示システム、情報装置及び携帯型電子情報装置の斜視図である。
【図８】実施例２に係る掲示装置のブロック図である。
【考案を実施するための形態】
【０００９】
以下、本考案の実施例を図面に基づいて詳細に説明する。
図１〜図５は本考案の実施例１を示す。
図１に示すように、本考案の環境保護型掲示システム１０は、主に掲示装置１０１と情報担体１０２とから成る。
掲示装置１０１は、電子ペーパーディスプレイユニット１０１１、電源制御ユニット１０１２、データ処理ユニット１０１３、伝送ユニット１０１４を備えている。
【００１０】
電子ペーパーディスプレイユニット１０１１は、可撓性電子ペーパーまたはフレキシブル電気泳動電子ペーパーとすることができ、データ処理ユニット１０１３と情報的に接続され、データ処理ユニット１０１３が伝送する画像情報を受信してそれを表示するために用いられる。
電源制御ユニット１０１２は電子ペーパーディスプレイユニット１０１１、データ処理ユニット１０１３及び伝送ユニット１０１４とそれぞれ電気的に接続され、掲示装置１０１中の各ユニットが必要な電気エネルギーの供給と切断を制御する。
【００１１】
データ処理ユニット１０１３は伝送ユニット１０１４及び電子ペーパーディスプレイユニット１０１１とそれぞれ情報的に接続され、伝送ユニット１０１４から伝送される掲示情報Ｄ１を演算処理し、それを画像情報Ｄ２に変換して、電子ペーパーディスプレイユニット１０１１を作動させる。また、データ処理ユニット１０１３は、情報処理及びデータ識別の機能を備える。
伝送ユニット１０１４はデータ処理ユニット１０１３と情報的に接続され、電源制御ユニット１０１２と電気的に接続される。伝送ユニット１０１４と情報担体１０２に接続が発生すると、情報担体１０２が掲示情報Ｄ１を伝送するほか、微量の電気エネルギーを伝送し、掲示装置１０１を作動可能にする。伝送ユニット１０１４はユニバーサルシリアルバス（ＵＳＢ）とすることができる。
【００１２】
なお、掲示装置１０１は、実施状況に応じて複数に増加してもよく、且つ掲示装置１０１は使用上のニーズに基づき、エレベータの掲示欄、広告看板、商品表示札、商品情報等に応用することができる。また、掲示装置１０１は、電子ペーパーを表示インターフェイスとしているため、通常は電気エネルギーの供給を必要とせず、掲示装置１０１の周辺に配置される電気配線を簡素化することができる。
【００１３】
情報担体１０２は、たとえばＵＳＢメモリなどモバイルストレージデバイスの態様とすることができ、図２に示すように、演算処理ユニット１０２１、ストレージユニット１０２２、電気エネルギー制御ユニット１０２３、電力貯蔵ユニット１０２４、相対伝送ユニット１０２５を含む。
演算処理ユニット１０２１はマイクロコントローラ（Ｍｉｃｒｏｐｒｏｃｅｓｓｏｒ  Ｃｏｎｔｒｏｌ  Ｕｎｉｔ）としてもよく、主に情報担体１０２の関連動作（データ伝送、保存、画像表示など）を制御する。また、ストレージユニット１０２２は、前記演算処理ユニット１０２１と情報的に接続され、かつ演算処理ユニット１０２１から伝達される情報を保存したり、記憶された情報を取り出したりして、演算処理ユニット１０２１がデータ演算を行うために供する。
【００１４】
ストレージユニット１０２２は、フラッシュメモリまたはランダムアクセスメモリ（ＲＡＭ）とすることができる。
電気エネルギー制御ユニット１０２３は、演算処理ユニット１０２１、電力貯蔵ユニット１０２４、相対伝送ユニット１０２５とそれぞれ電気的に接続され、主に情報担体１０２中の各ユニットが必要とする電気エネルギーの供給及び切断を制御し、さらに電力貯蔵ユニット１０２４の充放電も制御することができる。
情報担体１０２と掲示装置１０１(図１参照)が接続されると、電気エネルギー制御ユニット１０２３が相対伝送ユニット１０２５を介して電力貯蔵ユニット１０２４に保存された電力を掲示装置１０１に供給し、掲示装置１０１を作動させる。
【００１５】
電力貯蔵ユニット１０２４は、例えばリチウム電池、炭酸塩電池、ニッケル水素電池などの充放電可能な蓄電部材とすることができ、電気エネルギー制御ユニット１０２３と電気的に接続され、電気エネルギーの保存及び微量の電気エネルギー供給を行うことができる。
相対伝送ユニット１０２５は演算処理ユニット１０２１と情報的に接続され、かつ電気エネルギー制御ユニット１０２３と電気的に接続される。相対伝送ユニット１０２５が使用する情報伝送インターフェイスは伝送ユニット１０１４が使用するものと同じである。
【００１６】
また、情報担体１０２により優れた制御機能を具備させるため、情報担体１０２は機能制御ユニット１０２６及び画像表示ユニット１０２７を含むことができる。
機能制御ユニット１０２６は使用者が情報担体１０２を制御して実行させたい動作（掲示情報の選択、電気エネルギー供給の制御等）を行わせるために用いられる。機能制御ユニット１０２６は演算処理ユニット１０２１と情報的に接続され、ボタン部材または画像表示ユニット１０２７の中に構築することができる。
画像表示ユニット１０２７は情報担体１０２の動作状態及び関連情報を表示することができ、且つ常態的に演算処理ユニット１０２１から伝送される情報を受信する。画像表示ユニット１０２７は液晶ディスプレイ等としてもよい。
【００１７】
掲示情報Ｄ１を交換したいときは、図３に示すように以下の手順を経る。
情報を編集する２１：情報提供端が情報担体１０２を情報装置３０と情報的に接続し、情報装置３０内部に読み込んだ文書によりプログラムを編集し、掲示情報Ｄ１の内容の編集を行う。また、情報担体１０２と情報装置３０が接続されたとき、情報装置３０が情報担体１０２に同時に充電を行い、このとき情報担体１０２内の電気エネルギー制御ユニット１０２３が情報装置３０からの電気エネルギーを制御して、それを電力貯蔵ユニット１０２４に伝導する。
【００１８】
掲示情報を情報担体に読み込む２２：掲示情報Ｄ１の編集完了後、掲示情報Ｄ１を情報担体１０２のストレージユニット１０２２に伝送し、このとき情報担体１０２は情報装置３０と分離することができる。
【００１９】
接続の有無を検出する２３：図５に示すように、上述の工程を完了した後、情報担体１０２の相対伝送ユニット１０２５と掲示装置１０１の伝送ユニット１０１４を情報的及び電気的に接続することができ、情報的接続の開始時に、情報担体１０２内の演算処理ユニット１０２１により情報担体１０２が現在掲示装置１０１と情報的接続を生じているかを識別し、識別結果が接続なしの場合、情報担体１０２はいかなる動作も行わず、識別結果が接続ありの場合、情報担体１０２は次の動作を行う。
【００２０】
掲示内容を更新する２４：情報担体１０２が掲示装置１０１と情報的接続があることを確認した後、情報担体１０２の電気エネルギー制御ユニット１０２３が、相対伝送ユニット１０２５を介して電力貯蔵ユニット１０２４に貯蔵された電気エネルギーを掲示装置１０１の電源制御ユニット１０１２に伝送して、掲示装置１０１を作動させ、また、相対伝送ユニット１０２５を介して情報担体１０２が記憶している掲示情報Ｄ１を掲示装置１０１のデータ処理ユニット１０１３に伝送し、データ処理ユニット１０１３の演算によって、掲示情報Ｄ１を画像情報Ｄ２に変換し、且、同時に電子ペーパーディスプレイユニット１０１１上の電子材料の状態を変化させ、掲示装置１０１の展示内容を置き換える。 
【００２１】
このように、情報提供端は情報担体１０２により掲示装置１０１に掲示する情報内容を更新することができ、システム中に設けた掲示装置１０１の数量が増加する場合、情報装置３０を通して掲示情報Ｄ１を電子化し、さらに逐一掲示装置１０１と接続するだけで、掲示内容を変更する目的を達することができる。また、情報担体１０２と掲示装置１０１の接続と同時に、情報担体１０２を制御して異なる掲示情報Ｄ１を掲示装置１０１上に伝送させることができる。
【００２２】
また、他人が隨意に掲示装置１０１の内容を変更することができないようにするため、本考案は掲示情報を情報担体に読み込む工程２２及び接続の有無を検出する工程２３に、情報担体の識別工程２５を加え、掲示情報Ｄ１を情報担体１０２に読み込んだ後、情報担体１０２と掲示装置１０１が情報的接続を行うとき、掲示装置１０１がその内部に設けたデータ処理ユニット１０１３により、接続された情報担体１０２がその情報提供端の所有に属するか否かを識別し、識別結果が属さないである場合、掲示装置１０１が動作を停止し、これにより掲示内容が他人に置き換えられる事態の発生を回避することができる。
【００２３】
図６〜図８は、本考案の実施例２を示す。
図６に示すように、情報担体１０２は常態的に掲示装置１０１と情報的接続を形成することができる。情報担体１０２には、演算処理ユニット１０２１と情報的に接続され、かつ電気エネルギー制御ユニット１０２３と電気的に接続された無線通信ユニット１０２８を設置し、情報提供端から提供される情報の受信に用いることができる。
情報担体１０２と掲示装置１０１(図４参照)が接続されると、情報担体１０２が無線通信ユニット１０２８を駆動して作動させ、かつ常態的に情報提供端が新情報を伝達していないかを検出させて、新情報を受信すると無線通信ユニット１０２８が受信した情報を演算処理ユニット１０２１に伝送し、後続の掲示情報の置き換え作業を行うために供することができる。また、上述の無線通信ユニット１０２８は無線電波伝送(ＲＦ)等の無線通信技術としてもよい。
【００２４】
図７に示すように、情報担体１０２と掲示装置１０１に常態的な接続を形成した後、情報装置３０または携帯型電子情報装置３１により情報を無線送信し、掲示装置１０１に掲示情報Ｄ１(図１参照)の変更を行わせることができる。変更の作業フローは実施例１と同様である。また、掲示装置１０１の作動時に必要な電気エネルギーは情報担体１０２により提供され、掲示装置１０１がいかなる動作もしていないとき、情報担体１０２内の電気エネルギー制御ユニット１０２３は掲示装置１０１に伝送する電気エネルギーを停止し、電気エネルギーの消耗を抑えることができる。
【００２５】
図８に示すように、本実施例ではさらに掲示装置１０１に別の伝送ユニット１０１４’を設けてもよい。伝送ユニット１０１４’の設置位置は、掲示装置１０１の側端面上とすることができる。
伝送ユニット１０１４’は電源制御ユニット１０１２と電気的に接続され、データ処理ユニット１０１３と情報的に接続される。また、伝送ユニット１０１４’に用いる通信伝送インターフェイスは伝送ユニット１０１４と同じとしてもよく、かつ主な機能は伝送ユニット１０１４と同じである。
【００２６】
以上の説明は、本考案の最良の実施例に基づくものであり、本考案の実施の範囲を限定するものではない。当業者による本考案の要旨を逸脱しない同等の変化や修飾はすべて本考案の権利範囲内に含まれる。
【符号の説明】
【００２７】
１０        環境保護型掲示システム
１０１      掲示装置
１０２      情報担体
１０１１    電子ペーパーディスプレイユニット
１０２１    演算処理ユニット
１０１２    電源制御ユニット
１０２２    ストレージユニット
１０１３    データ処理ユニット
１０２３    電気エネルギー制御ユニット
１０１４    伝送ユニット
１０２４    電力貯蔵ユニット
１０１４’  伝送ユニット
１０２５    相対伝送ユニット
１０２６    機能制御ユニット
１０２７    画像表示ユニット
１０２８    無線通信ユニット
２１        情報を編集する
２２        加載掲示情報を情報担体に読み込む
２３        接続の有無を検出する
２４        掲示内容を更新する
２５        情報担体を識別する
３０        情報装置
３１        携帯型電子情報装置
Ｄ１        掲示情報
Ｄ２        画像情報
【図１】
0003171379.tif 000003
【図２】
0003171379.tif 000004
【図３】
0003171379.tif 000005
【図４】
0003171379.tif 000006
【図５】
0003171379.tif 000007
【図６】
0003171379.tif 000008
【図７】
0003171379.tif 000009
【図８】
0003171379.tif 000010